(57)【要約】【課題】簡単に幕の取り替えを行うことができる幕張設装置を提供すること。【解決手段】幕張設装置２は、張設すべき箇所において幕５０の延在方向の両端に位置するように配置される一対の幕張設具４を備えている。各幕張設具４は、建物躯体１０に取着される取り付け部１２と、取り付け部１２に支持された上下伸縮部１４とを備えている。上下伸縮部１４は、ロッド２０と、筒状部材２２と、スプリング２４と、係止具２６、２８とで構成されている。ロッド２０はその上部が筒状部材２２の下端から上方に滑動可能に挿入されている。筒状部材２２の上端でガイド板３０が設けられた箇所と反対の箇所には係止具２６が取着されている。また、ロッド２０の下端でガイド板３０が設けられた箇所と反対の箇所には係止具２８が取着されている。それら係止具２６、２８は、幕５０の上縁、下縁に沿ってそれぞれ延在する幕張設用棒体５２に係止可能に形成されている。【選択図】      図２
0003110690.tif 000002
【実用新案登録請求の範囲】
【請求項１】
店頭あるいは店内の上方箇所に、横長の幕を水平方向に延在させて張設する幕張設装置であって、
前記幕張設装置は、前記幕の延在方向の両端に位置するように前記店頭あるいは店内の上方箇所に配置された一対の幕張設具からなり、
各幕張設具は、前記店頭あるいは店内の上方箇所を構成する建物躯体に取着される取り付け部と、前記取り付け部に支持された上下伸縮部とを備え、
前記上下伸縮部は、上下方向に延在するロッドと、上下方向に延在し前記ロッドが滑動可能に挿入される筒状部材と、前記ロッドと前記筒状部材とをそれらの軸方向において離す方向に付勢するスプリングと、前記筒状部材に挿入される側とは反対に位置する前記ロッドの端部に取着された係止具と、ロッドが挿入される側とは反対に位置する前記筒状部材の端部に取着された係止具とを備える、
ことを特徴とする幕張設装置。
【請求項２】
前記筒状部材は前記ロッドの上位に配置され、前記ロッドはその上部が前記筒状部材に挿入され前記スプリングにより前記筒状部材の下端から下方に突出するように付勢され、前記係止具は前記筒状部材の上端と前記ロッドの下端とにそれぞれ取着され、前記筒状部材の上端に取着される係止具は、上方に開放状の係止凹部を備え、前記ロッドの下端に取着される係止具は、下方に開放状の係止凹部を備えることを特徴とする請求項１記載の幕張設装置。
【請求項３】
前記取り付け部は、下方に向いた壁面に取着される横板と、前記横板に連結され前記上下伸縮部が支持される縦板とで構成されていることを特徴とする請求項１または２記載の幕張設装置。
【請求項４】
前記取り付け部は、下方に向いた壁面に取着される横板と、前記横板にヒンジを介して揺動可能に結合され前記上下伸縮部が支持される縦板と、前記横板と前記縦板とにわたってもうけられ前記横板と前記縦板とのなす角度を調節する角度調節機構とで構成されていることを特徴とする請求項１または２記載の幕張設装置。
【請求項５】
前記幕には、前記幕の上縁と下縁に沿ってそれぞれ互いに平行して延在する幕張設用棒体が取着され、前記上下の幕張設用棒体の長さ方向の両端は前記幕の延在方向両端よりも突出し、この突出した部分に前記係止具が係止されることを特徴とする請求項１乃至４にいずれか１項記載の幕張設装置。
【請求項６】
前記幕には、前記幕の上縁と下縁に沿ってそれぞれ互いに平行して延在する幕張設用棒体が取着され、前記上下の幕張設用棒体の長さ方向の両端は前記幕の延在方向両端よりも突出し、前記上下の幕張設用棒体の長さ方向の両端には該幕張設用棒体の直径よりも大きな外径を有するキャップが着脱可能に取着され、前記幕の延在方向の端部よりも突出した前記幕張設用棒体の箇所で前記キャップの内側箇所に前記係止具が係止されることを特徴とする請求項１乃至４にいずれか１項記載の幕張設装置。
【請求項７】
前記幕張設装置は係止用補助具を備え、前記係止用補助具は、ロッドと、ロッドの先端に設けられ係止具とで構成され、前記係止具は、ロッドの延在方向に開放状の係止凹部と、前記係止凹部とは逆向きに開放状の係止凹部とを備えていることを特徴とする請求項１乃至６にいずれか１項記載の幕張設装置。
【請求項８】
前記幕張設装置は係止用補助具を備え、前記係止用補助具は、ロッドと、ロッドの先端に設けられ係止具とで構成され、前記係止具は、ロッドの延在方向に開放状の係止凹部と、前記係止凹部とは逆向きに開放状の係止凹部とが前記ロッドの延在方向と直交する方向に並べられて構成されていることを特徴とする請求項１乃至６にいずれか１項記載の幕張設装置。
【考案の詳細な説明】
【技術分野】
【０００１】
本考案は店頭あるいは店内などの上方箇所に張設される水平方向に横長の幕を張設するための幕張設装置に関する。
【背景技術】
【０００２】
コンビニエンスストアやスーパーマーケット、小売量販店などにおいて、商品の宣伝広告などを掲示するため、店頭あるいは店内の上方箇所に、横断幕やバナーなどといわれる、水平方向に横長の幕が張設される場合がある。
このような場合、従来では、三脚や脚立を用意し、２人がかりで幕の張設作業を行っているのが現状である。
【特許文献１】実用新案登録第３０７０１４７号
【考案の開示】
【考案が解決しようとする課題】
【０００３】
したがって、幕の取り替えに手間と時間を要する不具合があった。
特に、年中無休のコンビニエンスストアでは、営業中に幕の取り替えを行わなければならず、しかも、コスト削減の観点から必要最低限の人員しか配置していないので、幕の取り替えは大きな負担となる。幕の取り替えが毎週、毎月繰り返されるような場合にはなおさらである。
また、幕の取り替えは、三脚や脚立を用いた高所での作業となるため、落下して怪我をするなどの危険性を有する問題もあった。
本考案は前記事情に鑑み案出されたものであって、本考案の目的は、簡単に幕の取り替えを行うことができる幕張設装置を提供することにある。
また、本考案の目的は、三脚や脚立を用いることなく低所から簡単に幕の取り替えを行うことができる幕張設装置を提供することにある。
【課題を解決するための手段】
【０００４】
前記目的を達成するため本考案は、店頭あるいは店内の上方箇所に、横長の幕を水平方向に延在させて張設する幕張設装置に関するものである。前記幕張設装置は、前記幕の延在方向の両端に位置するように前記店頭あるいは店内の上方箇所に配置された一対の幕張設具からなる。各幕張設具は、前記店頭あるいは店内の上方箇所を構成する建物躯体に取着される取り付け部と、前記取り付け部に支持された上下伸縮部とを備えている。前記上下伸縮部は、上下方向に延在するロッドと、上下方向に延在し前記ロッドが滑動可能に挿入される筒状部材と、前記ロッドと前記筒状部材とをそれらの軸方向において離す方向に付勢するスプリングと、前記筒状部材に挿入される側とは反対に位置する前記ロッドの端部に取着された係止具と、ロッドが挿入される側とは反対に位置する前記筒状部材の端部に取着された係止具とを備えている。
【考案の効果】
【０００５】
本考案によれば、幕の上縁と下縁に沿って延在する上下の幕張設用棒体の両端を、それぞれ一対の幕張設具の各係止具に係止することで、幕を簡単に張設することができる。
この場合、係止用補助具を用いると、三脚や脚立を用いずに低所での作業が可能となる。
【考案を実施するための最良の形態】
【０００６】
図１は幕張設装置２が設置された店頭の正面図を示している。
幕張設装置２は、幕５０を、店頭あるいは店内の上方箇所に、水平方向に延在させて張設するものである。
まず、張設すべき幕５０について説明する。
図７は幕５０の正面図を示す。
幕５０は、横断幕やバナーといわれるもので、横長で水平方向に延在させて張設され使用され、商品の宣伝広告などが表示されている。
幕５０は均一の幅で横長に延在形成され、その上縁と下縁にそれぞれ幕張設用棒体５２が取り付けられている。
それら幕張設用棒体５２は、幕５０をその幅方向に張り長手方向に延在させた状態で互いに平行している。
本実施例では、幕５０の上縁と下縁に沿ってそれぞれ幕張設用棒体５２を挿通させる筒部５００２が形成されている。
また、本実施例では、幕張設用棒体５２は、アルミ合金などのような軽量な金属のパイプ材、あるいは合成樹脂製のパイプ材で形成されている。
幕張設用棒体５２は、それらの両端が幕５０の延在方向両端よりも突出する長さで形成されている。
そして、幕張設用棒体５２の両端に、それぞれ幕張設用棒体５２の直径よりも大きな外径のつば部を有するキャップ５４がねじ結合などにより着脱可能に取着されている。
【０００７】
図１に示すように、幕張設装置２は、張設すべき箇所において幕５０の延在方向の両端に位置するように店頭あるいは店内の上方箇所に配置された一対の幕張設具４を備えている。
図２は幕張設具４の断面側面図、図３は幕張設具４の平面図、図４は幕張設具４の正面図、図５はカバーを備える幕張設具４の側面図を示している。
各幕張設具４は、店頭あるいは店内の上方箇所を構成する建物躯体１０に取着される取り付け部１２と、取り付け部１２に支持された上下伸縮部１４とを備えている。
【０００８】
本実施例では、取り付け部１２は、建物躯体１０である軒下の下方を向いた壁面に取着される横板１２０２と、横板１２０２にヒンジを介して揺動可能に結合された縦板１２０４と、横板１２０２と縦板１２０４にわたって設けられた角度調整機構１２０６とで構成されている。
横板１２０２と縦板１２０４は直角に連結されているものでもよいが、本実施例では、横板１２０２と縦板１２０４との間に角度調整機構１２０６を設け、横板１２０２と縦板１２０４とのなす角度を調節できるようにしている。
角度調整機構１２０６は、例えば、横板１２０２の下面に揺動可能に結合された筒体１２１０と、縦板１２０４の内面に揺動可能に結合され筒体１２１０に滑動可能に挿入される軸部材１２１２とからなり、筒体１２１０の下部にボルト挿通孔が筒体１２１０の直径方向に貫通形成され、軸部材１２１２にはその長手方向に間隔をおいて複数のボルト挿通孔が軸部材１２１２の直径方向に貫通形成されている。
そして、横板１２０２に対して縦板１２０４を、例えば、４５度や６０度あるいは９０度などのような所望の角度になるように筒体１２１０に対して軸部材１２１２を出し入れして調節し、調節後、筒体１２１０と軸部材１２１２の双方のボルト挿通孔にボルトＢを挿通し、このボルトＢにナットＮを螺合することで横板１２０２と縦板１２０４とのなす角度の調節作業が終了する。
【０００９】
また、本実施例では、縦板１２０４の外面の全長にわたり断面がコ字状のガイド部材１２２０が取着されている。
ガイド部材１２２０は、コ字状の壁部で囲まれたガイド部１２２２を有し、ガイド部１２２２はガイド部材１２２０に沿って上下に延在し、ガイド部１２２２の上端は開放され、下端は閉塞されている。
【００１０】
上下伸縮部１４は、ロッド２０と、筒状部材２２と、スプリング２４と、係止具２６、２８とで構成され、本実施例では、ロッド２０や筒状部材２２、係止具２６、２８などはステンレス製である。
ロッド２０および筒状部材２２は共にステンレス製の管体で構成されている。
筒状部材２２はロッド２０の上位に位置するように配置され、筒状部材２２の上端は閉塞され、下端は開放されている。
筒状部材２２の一側の上下には矩形板状のガイド板３０が取着されている。これらガイド板３０は、ガイド部材１２２０のガイド１２２２に滑動可能に結合されるものである。
ロッド２０はその上部が筒状部材２２の下端から上方に滑動可能に挿入されている。
ロッド２０の一側の下端には、前記ガイド板３０と同一形状のガイド板３０がスペーサを介して筒状部材２２の軸心およびロッド２０の軸心に対して筒状部材２２のガイド板３０と同じ位置になるように取着されている。
スプリング２４は、筒状部材２２の内部に挿入され、筒状部材２２の上端面とロッド２０の上端面との間に介在されており、筒状部材２２とロッド２０とをそれらの軸方向において離す方向に付勢している。
上述のようにロッド２０、スプリング２４が組み込まれた筒状部材２２は、それらのガイド板３０が縦板１２０４のガイド部１２２２にその上端から挿入されることで縦板１２０４に組み付けられ、筒状部材２２およびロッド２０は縦板１２０４の外面上に配置されることになる。
なお、ガイド部１２２２の下端は閉塞されているので、ロッド２０の下端が縦板１２０４の下端の前方で静止する。そして、ロッド２０に対して筒状部材２２がスプリング２４により上方に付勢されることになる。
【００１１】
筒状部材２２の上端でガイド板３０が設けられた箇所と反対の箇所には係止具２６が取着されている。
また、ロッド２０の下端でガイド板３０が設けられた箇所と反対の箇所には係止具２８が取着されている。
それら係止具２６、２８は共に薄肉の鋼板がコ字状に屈曲されることで形成され、筒状部材２０の上端に取着される係止具２６には、ロッド５０を係止できるように上方に開放状の係止凹部２６０２が形成され、ロッド２０の下端に取着される係止具２８には、ロッド５０を係止できるように下方に開放状の係止凹部２８０２が形成されている。
また、図４に示すように、本実施例では、筒状部材２２やロッド２０を覆うようにカバー３２が縦板１２０４に取着されている。
カバー３２の上下の側面には、係止凹部２６０２、２８０２に対応した切り欠き３２０２、３２０４がそれぞれ上方に開放状に、下方に開放状に形成されている。
なお、ロッド２０を筒状部材２２の上位に配置し、ロッド２０の下部を筒状部材２２の上端から挿入するようにしてもよいが、実施例のように、筒状部材２２をロッド２０の上位に配置し、ロッド２０の上部を筒状部材２２の下端から挿入するようにすると、雨水や塵埃が筒状部材２２の内部に侵入しにくく、耐久性を高める上で有利となる。
【００１２】
さらに、幕張設装置２は係止用補助具４０を備えている。
図６（Ａ）は係止用補助具４０の平面図、（Ｂ）は係止用補助具４０の正面図を示す。
各係止用補助具４０は、所定の長さのロッド４２と、ロッド４２の先端に設けられ係止具４４とで構成されている。
ロッド４２は、アルミ合金などのような軽量な金属のパイプ材、あるいは合成樹脂製のパイプ材で形成されている。本実施例では、外側筒部４２０２と、この外側筒部４２０２に挿入される内側筒部４２０４と、外側筒部４２０２の端部に回転可能かつ軸方向に移動不能に取着された締め付けリング４２０６とで構成され、締め付けリング４２０６の弛緩緊締と、外側筒部４２０２に対する内側筒部４２０４の出し入れにより、長さを調節できるように構成されている。
係止具４４は、ロッド４０の延在方向に開放状で幕張設用棒体５２に係止可能な係止凹部４０Ａと、係止凹部４０Ａとは逆向きに開放状で幕張設用棒体５２に係止可能な係止凹部４０Ｂとが、ロッド４０の延在方向と直交する方向に並べられて形成されている。
係止具４４は、金属製あるいは合成樹脂製の丸棒が湾曲されることで形成され、この湾曲された丸棒は２本平行に設けられている。
【００１３】
次に、幕張設装置２の使用方法について説明する。
まず、幕５０を張る場合について説明する。
図８に示すように、幕５０を張設すべき箇所において、幕５０の延在方向の両端に位置するように一対の幕張設具４を設置する。
本実施例では、図２に示すように、建物躯体１０である軒下の壁面に横板１２０２を取着し、角度調整機構１２０６により横板１２０２と縦板１２０４とのなす角度を調節する。
この幕張設具４の設置作業は、最初に一回行われるのみである。
また、横板１２０２と縦板１２０４とのなす角度の調節作業は、幕５０を取り付ける箇所に応じて幕５０が見やすいように最初に一回行われるのみで、以後、調節する必要が生じることは少ない。
【００１４】
次に、図９に示すように、幕５０の上縁で幕５０の延在方向の両端から突出する幕張設用棒体５２のキャップ５４の内側に位置する部分を、筒状部材２２の上端の係止具２６の上方に開放状の係止凹部２６０２に係止する。
この作業は、三脚や脚立を用いることで１人で簡単に行えるが、係止用補助具４０を用いると、三脚や脚立を用いることなく床上あるいは路上で１人で簡単に行うことができる。
すなわち、図９（Ｂ）に示すように、ロッド４２の端部の係止凹部４０Ａを、幕５０の上縁で幕５０から突出する幕張設用棒体５２のキャップ５４の内側に係止し、ロッド４２を持ち上げ、筒状部材２２の上端の係止凹部２６０２に係止することで簡単に行われる。
この作業は、１人で簡単に行えるが、図９（Ａ）に示すように、２つの係止用補助具４０を用意し、２人で行うとより簡単に短時間で行うことができる。
【００１５】
次に、図１０に示すように、幕５０の下縁で幕５０の延在方向の両端から突出する幕張設用棒体５２のキャップ５４の内側に位置する部分を、ロッド２０の下端の係止具２８の下方に開放状の係止凹部２８０２に係止する。
この作業も、三脚や脚立を用いることで１人で簡単に行えるが、係止用補助具４０を用いると、三脚や脚立を用いることなく床上あるいは路上で１人で簡単に行うことができる。
すなわち、図１０（Ｂ）に示すように、ロッド４２の端部の係止凹部４０Ｂを、幕５０の下縁で幕５０から突出する幕張設用棒体５２のキャップ５４の内側に係止し、ロッド４２を引き下げ、ロッド２０の下端の係止凹部２８０２に係止することで簡単に行われる。
この引き下げ時にスプリング２４が圧縮され、筒状部材２２が係止具２６と共に下方に変位し、幕５０の下縁の幕張設用棒体５２がロッド２０の下端の係止凹部２８０２に係止したのちは、スプリング２４の弾性力により筒状部材２２が上昇し、幕５０は上下方向に張られる。
この作業も、１人で簡単に行えるが、図１０（Ａ）に示すように、２つの係止用補助具４０を用意し、２人で行うとより簡単に短時間で行うことができる。
【００１６】
次に、幕５０を取り替える場合について説明する。
幕５０を取り替える場合には、幕５０を左右の幕張設具４から取り外す。
この場合、ロッド２０の下端の係止凹部２８０２は下方に開放状に形成されているので、幕５０の上縁に沿って延在する幕張設用棒体５２を、筒状部材２０の上端の係止凹部２６０２から取り外すことで、幕５０を左右の幕張設具４から簡単に取り外すことができる。
この取り外し作業は、三脚や脚立を用いることで１人で簡単に行えるが、係止用補助具４０を用いると、三脚や脚立を用いることなく床上あるいは路上で１人で簡単に行うことができる。
すなわち、図９（Ｂ）に示すように、ロッド４２の端部の係止凹部４０Ａを、幕５０の上縁で幕５０から突出する幕張設用棒体５２のキャップ５４の内側に係止し、ロッド４２を持ち上げ、幕張設用棒体５２を筒状部材２２の上端の係止凹部２６０２の上方に離すことで簡単に行われる。
この作業は、図９（Ａ）に示すように、２つの係止用補助具４０を用意し、２人で行うとより簡単に短時間で行うことができる。
【００１７】
幕５０を外したならば、次に、幕５０の取り替えを行う。
すなわち、上下の幕張設用棒体５２からキャップ５４を取り外し、上下の幕張設用棒体５２を幕５０の筒部５００２から引き抜く。
そして、これら引き抜いた幕張設用棒体５２を、次に張るべき幕５０の上下の筒部５００２に挿入し、それら幕張設用棒体５２にキャップ５４をそれぞれ取り付ける。
そして、上述した作業により幕５０を一対の幕張設具４に取り付ける。
【００１８】
なお、上記の実施例では、下向きの壁面に幕張設具４を設置した場合について説明したが、幕張設具４の設置箇所は任意であり、例えば、上下方向に延在する壁面などに設置する場合には、横板１２０２が省略されて縦板１２０４のみとなり、縦板１２０４が壁面に取着され、また、上下伸縮部１４が縦板１２０４に支持されることになり、幕５０を張設すべき箇所に応じて幕張設具４の構造も変化する。
【図面の簡単な説明】
【００１９】
【図１】幕張設装置２が設置された店頭の正面図である。
【図２】幕張設具４の断面側面図である。
【図３】幕張設具４の平面図である。
【図４】幕張設具４の正面図である。
【図５】カバーを備える幕張設具４の側面図である。
【図６】（Ａ）は係止用補助具４０の平面図、（Ｂ）は係止用補助具４０の正面図である。
【図７】幕５０の正面図である。
【図８】幕張設具４を設置する際の説明図である。
【図９】幕５０を張設する際の説明図で、（Ａ）は正面図、（Ｂ）は側面図である。
【図１０】幕５０を張設する際の説明図で、（Ａ）は正面図、（Ｂ）は側面図である。
【符号の説明】
【００２０】
２……幕張設装置、１２……取り付け部、１４……上下伸縮部、１６……バックル、２０……ロッド、２２……筒状部材、２４……スプリング、２６，２８……係止具、４０……係止用補助具、５０……幕。
【図１】
0003110690.tif 000003
【図２】
0003110690.tif 000004
【図３】
0003110690.tif 000005
【図４】
0003110690.tif 000006
【図５】
0003110690.tif 000007
【図６】
0003110690.tif 000008
【図７】
0003110690.tif 000009
【図８】
0003110690.tif 000010
【図９】
0003110690.tif 000011
【図１０】
0003110690.tif 000012